(57)【要約】【課題】光ディスクの物理ヘッダの領域を判定する処理の誤りを抑制するヘッダ領域判定回路を提供する。【解決手段】ヘッダ領域判定回路は、光ディスク１から受光した受光量の差に比例する差信号を検出する差信号検出部４、通過帯域制御信号に応じて複数の遮断周波数を切り替え、差信号から低周波数成分を除去した差信号ＨＰＦ出力を生成する高域通過フィルタ６、差信号ＨＰＦ出力をパルス化した整形信号を生成する波形整形部７、及び、整形信号が示すパルスの持続時間を計測して、物理ヘッダ領域を検出し、物理ヘッダ領域の検出結果に基づいて、物理ヘッダ領域が溝部と溝間部とのいずれかであるかを判定したグルーブ検出信号と、物理ヘッダ領域の少なくとも一部分に対応する差信号に対して、高域通過フィルタ６の遮断周波数を引き下げるように制御する通過帯域制御信号とを生成する物理ヘッダ検出シーケンサ８を備える。【選択図】図１
2013093085.tif 000002
【特許請求の範囲】
【請求項１】
光ディスク上に形成された溝部と溝間部の双方を情報記録部として備え、前記情報記録部が、前記溝部からなる記録トラックと前記溝間部からなる記録トラックとが交互に接続した一つの記録スパイラルから構成され、かつ、物理ヘッダ領域と記録領域とを含む複数の記録セクタによって構成される光ディスクの、前記物理ヘッダ領域を判定するヘッダ領域判定回路であって、
２分割された受光部を含む受光素子によって前記光ディスクから受光した受光量の差に比例する差信号を検出する差信号検出部と、
通過帯域制御信号と、前記差信号とを受け、前記通過帯域制御信号に応じて、少なくとも、第１の遮断周波数と前記第１の遮断周波数より低い周波数を設定した第２の遮断周波数とを切り替え、前記差信号から低周波数成分を除去した差信号ＨＰＦ出力を生成する高域通過フィルタと、
パルス閾値を保持し、前記パルス閾値を用いて前記差信号ＨＰＦ出力をパルス化した整形信号を生成する波形整形部と、
前記整形信号が示すパルスの持続時間を計測して、前記物理ヘッダ領域を検出し、前記物理ヘッダ領域の検出結果に基づいて、前記物理ヘッダ領域が前記溝部と前記溝間部とのいずれかであるかを判定したグルーブ検出信号と、前記物理ヘッダ領域の少なくとも一部分に対応する差信号に対して、前記高域通過フィルタの遮断周波数を引き下げるように制御する通過帯域制御信号とを生成する物理ヘッダ検出部と、を備えるヘッダ領域判定回路。
【請求項２】
前記物理ヘッダ領域は、第１の部分と第２の部分とを有し、
前記物理ヘッダ検出部は、少なくとも、前記第１の部分と前記第２の部分とのいずれかに対応する差信号の一部分に対して、前記高域通過フィルタの遮断周波数を引き下げるように制御する通過帯域制御信号を生成することを特徴とする請求項１に記載のヘッダ領域判定回路。
【請求項３】
前記物理ヘッダ検出部は、前記第１の部分を検出したと判定した後、所定の期間、前記高域通過フィルタの遮断周波数を引き下げるように制御する前記通過帯域制御信号を生成することを特徴とする請求項２に記載のヘッダ領域判定回路。
【請求項４】
前記物理ヘッダ検出部は、少なくとも、前記第１の部分を検出してから前記第２の部分を検出するまでの期間、前記第２の遮断周波数を前記高域通過フィルタに設定し、前記第２の遮断周波数を設定する期間以外には前記第１の遮断周波数を前記高域通過フィルタに設定するように制御する、前記通過帯域制御信号を生成し、前記第２の遮断周波数を設定する期間の上限をあらかじめ保持し、前記第２の遮断周波数を設定する期間が前記上限を超えると、前記第１の遮断周波数を設定するように制御する前記通過帯域制御信号を生成することを特徴とする請求項２または３に記載のヘッダ領域判定回路。
【請求項５】
前記波形整形部は、前記差信号ＨＰＦ出力に基づいて、前記パルス閾値を超えるパルスが第１の極性に現れる第１のパルスと、前記パルス閾値を超えるパルスが前記第１の極性とは異なる第２の極性に現れる第２のパルスとを示す整形信号を生成し、
前記物理ヘッダ検出部は、
前記物理ヘッダ領域の検出を判定するパルス幅であるパルス持続時間閾値を保持し、前記整形信号を受け、前記第１のパルスの持続時間が前記パルス持続時間閾値を超えると、前記第２の遮断周波数を前記高域通過フィルタに設定するように制御する前記通過帯域制御信号を生成し、前記第１のパルスを検出後、前記第２のパルスの持続時間が前記パルス持続時間閾値を超えると、前記第１の遮断周波数を前記高域通過フィルタに設定するように制御する前記通過帯域制御信号を生成するとともに、前記第１のパルスと前記第２のパルスとの極性を出力するヘッダ判定部と、
前記第１のパルスと前記第２のパルスとの極性に応じて、前記グルーブ検出信号を生成するランド／グルーブ判定部と、を備えることを特徴とする請求項１乃至４のいずれか一項に記載のヘッダ領域判定回路。
【請求項６】
前記ヘッダ判定部は、前記物理ヘッダ領域を検出する期間を限定する領域検出閾値をさらに保持し、前記第１のパルスを検出後、前記領域検出閾値の期間を超えると、前記第１の遮断周波数を前記高域通過フィルタに設定するように制御する前記通過帯域制御信号を生成することを特徴とする請求項５記載のヘッダ領域判定回路。
【請求項７】
前記ヘッダ判定部は、前記領域検出閾値として、前記物理ヘッダ領域を検出する期間を限定するヘッダ領域検出閾値をさらに保持し、前記第１のパルスを検出した後、前記ヘッダ領域検出閾値の期間を超えると、前記第１の遮断周波数を前記高域通過フィルタに設定するように制御する前記通過帯域制御信号を生成することを特徴とする請求項６に記載のヘッダ領域判定回路。
【請求項８】
前記ヘッダ判定部は、前記領域検出閾値として、前記第２の部分を検出する期間を限定する部分領域検出閾値を保持し、前記第１のパルスを検出した後、前記部分領域検出閾値の期間を超えると、前記第１の遮断周波数を前記高域通過フィルタに設定するように制御する前記通過帯域制御信号を生成することを特徴とする請求項６または７に記載のヘッダ領域判定回路。
【請求項９】
前記物理ヘッダ検出部は、前記物理ヘッダ領域の先頭部分を検出した後、前記物理ヘッダ領域の末尾を検出するまでの期間、前記遮断周波数を引き下げるように制御する前記通過帯域制御信号を生成することを特徴とする請求項１または２に記載のヘッダ領域判定回路。
【請求項１０】
前記波形整形部は、前記差信号ＨＰＦ出力が、前記パルス閾値を超えるパルスが第１の極性に現れる第１のパルスと、前記パルス閾値を超えるパルスが前記第１の極性側とは異なる第２の極性に現れる第２のパルスとを示す整形信号を生成し、
前記物理ヘッダ検出部は、
前記物理ヘッダ領域を検出するパルス持続時間閾値と、前記第１のパルスを検出しなくなってからの経過時間の閾値を示すパルス不検出経過閾値とを保持し、前記整形信号を受け、前記第１のパルスの持続時間が前記パルス持続時間閾値を超えると、前記第２の遮断周波数を前記高域通過フィルタに設定するように制御する前記通過帯域制御信号を生成し、前記第１のパルスを検出後、前記第２のパルスの持続時間が前記パルス持続時間閾値の期間を経過し、かつ、前記第１のパルスが検出されない期間が、前記パルス不検出経過閾値を超えると、前記第１の遮断周波数を前記高域通過フィルタに設定するように制御する前記通過帯域制御信号を生成するとともに、前記第１のパルスと前記第２のパルスとの極性を出力するヘッダ判定部と、
前記第１のパルスと前記第２のパルスとの極性に応じて、前記グルーブ検出信号を生成するランド／グルーブ判定部と、を備えることを特徴とする請求項１乃至４、９のいずれか一項に記載のヘッダ領域判定回路。
【請求項１１】
前記物理ヘッダ検出部は、さらに、
前記物理ヘッダ領域の検出が維持される同期状態を判定する同期フラグと、前記物理ヘッダ領域の検出に基づいて、前記物理ヘッダ領域を予測するヘッダ予測信号とを生成する物理ヘッダ同期保護部を備え、
前記ランド／グルーブ判定部は、前記第１のパルスと前記第２のパルスとの極性、前記同期フラグ、及び、前記ヘッダ予測信号を受け、前記同期フラグが同期状態を示す場合、前記ヘッダ予測信号に応じて前記グルーブ検出信号を生成し、前記同期フラグが非同期状態を示す場合、前記第１のパルスと前記第２のパルスとの極性に応じて前記グルーブ検出信号を生成することを特徴とする請求項５乃至１０のいずれか一項に記載のヘッダ領域判定回路。
【請求項１２】
前記物理ヘッダ検出部は、前記同期フラグが同期状態を示す場合、前記第１の遮断周波数を前記高域通過フィルタに設定するように制御する前記通過帯域制御信号を生成し、前記同期フラグが非同期状態を示す場合、前記物理ヘッダ領域の検出結果に応じて、前記物理ヘッダ領域の少なくとも一部分に対応する差信号に対して前記第２の遮断周波数を前記高域通過フィルタに設定するように制御する前記通過帯域制御信号を生成するように構成されていることを特徴とする請求項１１に記載のヘッダ領域判定回路。
【請求項１３】
光ディスク上に形成された溝部と溝間部の双方を情報記録部として備え、前記情報記録部が、前記溝部からなる記録トラックと前記溝間部からなる記録トラックとが交互に接続した一つの記録スパイラルから構成され、かつ、物理ヘッダ領域と記録領域とを含む複数の記録セクタによって構成される光ディスクの、前記物理ヘッダ領域を判定し、前記光ディスクに記録された情報を再生する光ディスク装置であって、
２分割された受光部を含む受光素子を有する光ピックアップと、
前記受光部が前記光ディスクから受光した受光量の差に比例する差信号を検出する差信号検出部と、
通過帯域制御信号と、前記差信号とを受け、前記通過帯域制御信号に応じて、少なくとも、第１の遮断周波数と前記第１の遮断周波数より低い周波数を設定した第２の遮断周波数とを切り替え、前記差信号から低周波数成分を除去した差信号ＨＰＦ出力を生成する高域通過フィルタと、
パルス閾値を保持し、前記パルス閾値を用いて前記差信号ＨＰＦ出力をパルス化した整形信号を生成する波形整形部と、
前記整形信号が示すパルスの持続時間を計測して、前記物理ヘッダ領域を検出し、前記物理ヘッダ領域の検出結果に基づいて、前記物理ヘッダ領域が前記溝部と前記溝間部とのいずれかであるかを判定したグルーブ検出信号と、前記物理ヘッダ領域の少なくとも一部分に対応する差信号に対して、前記高域通過フィルタの遮断周波数を引き下げるように制御する通過帯域制御信号を生成する物理ヘッダ検出部と、
前記グルーブ検出信号に応じて、トラッキング極性を制御する極性制御部と、を備える光ディスク装置。
【請求項１４】
光ディスク上に形成された溝部と溝間部の双方を情報記録部として備え、前記情報記録部が、前記溝部からなる記録トラックと前記溝間部からなる記録トラックとが交互に接続した一つの記録スパイラルから構成され、かつ、物理ヘッダ領域と記録領域とを含む複数の記録セクタによって構成される光ディスクの、前記物理ヘッダ領域を判定するヘッダ領域判定方法であって、
２分割された受光部が前記光ディスクから受光した受光量の差に比例する差信号を検出し、
複数の遮断周波数を切り替えて、前記差信号から低周波数成分を除去した差信号ＨＰＦ出力を生成し、
予め保持するパルス閾値を用いて前記差信号ＨＰＦ出力をパルス化した整形信号を生成し、
前記整形信号が示すパルスの持続時間を計測して、前記物理ヘッダ領域を検出し、
前記物理ヘッダ領域の検出結果に基づいて、前記物理ヘッダ領域の少なくとも一部分に対応する差信号に対して、前記高域通過フィルタの遮断周波数を引き下げるように制御し、
前記物理ヘッダ領域を検出すると、前記物理ヘッダ領域が前記溝部と前記溝間部とのいずれかであるかを判定するヘッダ領域判定方法。
【請求項１５】
前記物理ヘッダ領域は、第１の部分と第２の部分とを有し、
前記高域通過フィルタの前記遮断周波数の制御は、少なくとも、前記第１の部分と前記第２の部分とのいずれかに対応する差信号の一部分に対して、前記遮断周波数を引き下げるように制御することを特徴とする請求項１４記載のヘッダ領域判定方法。
【請求項１６】
前記高域通過フィルタの前記遮断周波数の制御は、前記第１の部分を検出したと判定した後、所定の期間、前記遮断周波数を引き下げるように制御することを特徴とする請求項１５記載のヘッダ領域判定方法。
【請求項１７】
前記高域通過フィルタは、少なくとも第１の遮断周波数と前記第１の遮断周波数より低い周波数を設定した第２の遮断周波数とを、通過帯域制御信号に応じて切り替え、
前記高域通過フィルタの前記遮断周波数の制御は、少なくとも、前記第１の部分を検出してから前記第２の部分を検出するまでの期間、前記第２の遮断周波数を前記高域通過フィルタに設定し、前記第２の遮断周波数を設定する期間以外には前記第１の遮断周波数を前記高域通過フィルタに設定するように制御する、前記通過帯域制御信号を生成することを特徴とする請求項１５または１６記載のヘッダ領域判定方法。
【請求項１８】
前記高域通過フィルタの前記遮断周波数の制御は、前記第２の遮断周波数を設定する期間が、予め定めた前記第２の遮断周波数を設定する期間の上限を超えると、前記第１の遮断周波数を前記高域通過フィルタに設定するように制御する前記通過帯域制御信号を生成することを特徴とする請求項１７記載のヘッダ領域判定方法。
【請求項１９】
前記物理ヘッダ領域の検出は、
前記整形信号から、前記パルス閾値を超えるパルスが第１の極性に現れる第１のパルスと、前記第１の極性とは異なる第２の極性に現れる第２のパルスとを検出し、
前記第１のパルス及び前記第２のパルスの持続時間が、予め保持するパルス持続時間閾値を超えることによって物理ヘッダ領域を検出したと判定し、
前記高域通過フィルタの前記遮断周波数の制御は、
前記第１のパルスの持続時間が前記パルス持続時間閾値を超えると、前記遮断周波数を引き下げるように制御し、
前記第１のパルスを検出後、前記第２のパルスの持続時間が前記パルス持続時間閾値を超えると、前記遮断周波数を戻すように制御することを特徴とする請求項１４乃至１８のいずれか一項に記載のヘッダ領域判定方法。
【請求項２０】
前記高域通過フィルタの前記遮断周波数の制御は、前記第１のパルスを検出した後の経過時間が、予め保持する、前記物理ヘッダ領域を検出する期間を限定する領域検出閾値を超えると、前記遮断周波数を戻すように制御することを特徴とする請求項１９記載のヘッダ領域判定方法。
【請求項２１】
前記高域通過フィルタの前記遮断周波数の制御は、前記領域検出閾値として、前記物理ヘッダ領域を検出する期間を限定するヘッダ領域検出閾値を用いて前記遮断周波数を戻すように制御することを特徴とする請求項２０に記載のヘッダ領域判定方法。
【請求項２２】
前記高域通過フィルタの前記遮断周波数の制御は、前記領域検出閾値として、前記第２のパルスを検出する期間を限定する部分領域検出閾値を用いて前記遮断周波数を戻すように制御することを特徴とする請求項２０または２１に記載のヘッダ領域判定方法。
【請求項２３】
前記高域通過フィルタの前記遮断周波数の制御は、前記物理ヘッダ領域の先頭部分を検出した後、前記物理ヘッダ領域の末尾を検出するまでの期間、前記遮断周波数を引き下げるように制御することを特徴とする請求項１４または１５に記載のヘッダ領域判定方法。
【請求項２４】
前記物理ヘッダ領域の検出は、
前記整形信号から、前記パルス閾値を超えるパルスが第１の極性に現れる第１のパルスと、前記第１の極性とは異なる第２の極性に現れる第２のパルスとを検出し、
前記第１のパルス及び前記第２のパルスの持続時間が、予め保持するパルス持続時間閾値を超えることによって物理ヘッダ領域を検出したと判定し、
前記高域通過フィルタの前記遮断周波数の制御は、
前記第１のパルスの持続時間が前記パルス持続時間閾値を超えると、前記遮断周波数を引き下げるように制御し、
前記第１のパルスを検出後、前記第２のパルスの持続時間が前記パルス持続時間閾値の期間を経過し、かつ、前記第１のパルスが検出されない期間が、予め保持する、前記第１のパルスを検出しなくなってからの経過時間の閾値を示すパルス不検出経過閾値を超えると、前記遮断周波数を戻すように制御することを特徴とする請求項１４乃至１８、２３のいずれか一項に記載のヘッダ領域判定方法。
【請求項２５】
前記物理ヘッダ領域の検出は、さらに、
前記物理ヘッダ領域の検出が維持される同期状態を判定して同期フラグを生成し、
前記物理ヘッダ領域の過去の検出結果に基づいて、前記物理ヘッダ領域が前記溝部と前記溝間部とのいずれであるかを予測するヘッダ予測信号を生成し、
前記物理ヘッダ領域が前記溝部と前記溝間部とのいずれであるかの判定は、
前記同期フラグが同期状態を示す場合、前記ヘッダ予測信号に応じて前記溝部と前記溝間部との一方であることを判定し、前記同期フラグが非同期状態を示す場合、前記第１のパルス及び前記第２のパルスの極性に応じて前記溝部と前記溝間部との一方であることを判定することを特徴とする請求項１９乃至２４のいずれか一項に記載のヘッダ領域判定方法。
【請求項２６】
前記高域通過フィルタの前記遮断周波数の制御は、
前記同期フラグが同期状態を示す場合、前記遮断周波数を引き下げることなく維持するように制御し、
前記同期フラグが非同期状態を示す場合、前記物理ヘッダ領域の検出結果に応じて、前記物理ヘッダ領域の少なくとも一部分に対応する差信号に対して前記遮断周波数を引き下げるように制御することを特徴とする請求項２５に記載のヘッダ領域判定方法。
【発明の詳細な説明】
【技術分野】
【０００１】
本発明は、光ディスクの情報記録再生技術に関し、特に、プリピットで形成された物理ヘッダ領域を判定するヘッダ領域判定回路、光ディスク装置、及び、ヘッダ領域判定方法に関する。
【背景技術】
【０００２】
ＤＶＤ−ＲＡＭ（Digital Versatile Disk Random Access Memory）では、ランド（溝間部）とグルーブ（溝部）の双方が記録再生領域（情報記録部）として使われている。スパイラル状に設けられた記録トラックは、ランドを記録領域にもつランドトラックとグルーブを記録領域にもつグルーブトラックとからなり、ランドトラックとグルーブトラックとは光ディスク１周ごとに切り替えられる。ランドトラック及びグルーブトラックのそれぞれは、光ディスク１周当たり整数個の記録セクタと、アドレス情報などを表わす物理ヘッダ領域とをもつ。物理ヘッダ領域は各記録セクタの前に設けられ、４つずつの物理アドレス領域を含む。４つの物理アドレス領域のうち２つは、トラック中心からトラックピッチの２分の１だけ内周側に、残る２つはトラックピッチの２分の１だけ外周側にオフセットした位置に、エンボスピットとして設けられている。
【０００３】
ランドトラックとグルーブトラックとは、物理ヘッダ領域のオフセット極性によって区別できる。ランドトラック上の記録セクタに先行する物理ヘッダ領域では、４つの物理アドレス領域のうち前半の２つが内周側にオフセットし、後半の２つは外周側にオフセットして設けられている。一方、グルーブトラック上の記録セクタに先行する物理ヘッダ領域では逆に、前半の２つが外周側に、後半の２つは内周側にオフセットしている。光ディスク装置では、トラックに沿って２分割された受光部をもつ受光素子で受け取った反射光量の差を、トラッキングエラー信号やウォブル信号として用いている。物理ヘッダ領域のオフセットも、この反射光量の差によって検出することができる。このため、反射光量の差がランドトラックとグルーブトラックとの判定に使われる。
【０００４】
例えば、特許文献１には、このように物理ヘッダ領域をトラック中心からオフセットさせて配置した識別信号を用いてランドトラックとグルーブトラックとを判別し、判別結果に応じてトラッキング極性を切り替える、光ディスクトラッキング方法と、それを用いた光ディスク装置が開示されている。図１３を参照して、光ディスク装置９０の動作を説明する。
【０００５】
ピックアップ２には光ディスク１のトラックに沿った方向に２分割された受光部を備える図示しない受光素子が搭載されている。受光素子の出力は、和信号検出部３と差信号検出部４に入力され、それぞれ反射光量の和に比例する信号と反射光量の差に比例する信号として出力される。和信号検出部３から出力された和信号は、再生信号処理部５によって２値化データに変換され、光ディスク１に記録されたデータの再生やエンボスピットからアドレス情報などを再生するのに用いられる。
【０００６】
差信号検出部４から出力される差信号については、図１４を用いて処理の概要を説明する。差信号は波形整形部７に入力され、閾値ＬｔｈとＲｔｈとをもつ２つのコンパレータ７０１、７０２によって２値化される。閾値Ｌｔｈで２値化して得られた整形信号Ｌ０と、閾値Ｒｔｈで２値化して得られた整形信号Ｒ０は、まず、差信号処理部９１内で、パルス列が一定期間（ｔ１）続くときに"１"レベルに切り替わり、その後一定期間（ｔ２）経過後に"０"レベルに切り替わるような遅延信号Ｌ１、遅延信号Ｒ１に変換される。差信号処理部９１では更に、遅延信号Ｒ１の"０"レベルから"１"レベルへの立ち上がりにおいて遅延信号Ｌ１がラッチされ、グルーブ検出信号として出力される。また、遅延信号Ｌ１の立ち上がりでは逆に、遅延信号Ｒ１がラッチされ、ランド検出信号として出力される。ヘッダ検出ゲートはグルーブ検出信号とランド検出信号とのいずれかが"０"レベルから"１"レベルに立ち上がると"０"レベルにリセットされ、記録セクタの記録領域に相当する期間（ｔ３）が経過したところで再び"１"レベルに切り替えられる。グルーブ検出信号とランド検出信号とは、ヘッダ検出信号が"１"レベルに切り替えられると、ともに"０"レベルにリセットされるように動作する。
【０００７】
特許文献１には、ヘッダ検出ゲートが"１"レベルの期間に限って整形信号Ｌ０および整形信号Ｒ０のパルス列を検出し、ヘッダ検出ゲートが"０"レベルの期間に現れるパルスをノイズとして除外することで、記録再生領域で誤検出を防止できることが示されている。
情報再生部９２は、再生信号処理部５から出力される２値化データと、差信号処理部９１から出力されるヘッダ検出ゲートをもとに、復調処理と誤り訂正処理を行なって再生データを出力する。アドレス再生部９３は、２値化データと、差信号処理部９１から出力されるグルーブ検出信号、ランド検出信号、ヘッダ検出ゲートをもとに物理アドレス領域に記録されたエンボスピットによるアドレス情報を抽出して復調し、システム制御部１１にアドレス情報を出力する。
【０００８】
極性制御部９４は、グルーブ検出信号、ランド検出信号、およびヘッダ検出ゲートと、システム制御部から渡されるトラッキングオン／オフを示す信号とを受けてトラッキング極性を選択する。極性選択部１３では、極性制御部９４によるトラッキング極性選択結果に応じて、差信号検出部４から出力される差信号の極性を反転し、トラッキング制御部１４に出力する。トラッキング制御部１４は、極性選択部１３が選択した極性に応じて、トラッキング極性を切り替えてピックアップ２を制御する。
このような構成により、後続するトラックがランドトラックかグルーブトラックかを、物理ヘッダ領域のオフセットによって判別し、トラッキング極性を切り替えてピックアップの位置を制御することによって、ランドトラックとグルーブトラックに対して正しくトラッキングさせることができる。
【０００９】
また、光ディスク装置のトラッキング制御に関して、例えば、特許文献２には、隣接トラックの影響によるトラッキング制御の不安定化およびオフトラックを抑制することが可能な装置が開示されている。
【先行技術文献】
【特許文献】
【００１０】
【特許文献１】特開２０００−２００４３８号公報
【特許文献２】特開２００２−２８８８５５号公報
【発明の概要】
【発明が解決しようとする課題】
【００１１】
上述したように、ＤＶＤ−ＲＡＭでは、エンボスピットによって形成された物理ヘッダ領域がトラック中心に対して内周側や外周側にオフセットして配置されており、このオフセット極性によって後続する記録領域がランドトラック上にあるか、グルーブトラック上にあるかが区別される。
ＤＶＤ−ＲＡＭの記録領域では、ランドトラックおよびグルーブトラックの案内溝が正弦波状にウォブルして形成されている。また、データが記録されている記録領域では、差信号中に記録マークの明暗による外乱も混入する。さらに、差信号には、ピックアップ２から光ディスク１上に照射される集光ビームとトラック中心との位置ずれを示すトラッキングエラー信号成分も重畳される。
このため、光ディスク１に衝撃が加わった場合などには、差信号に大きなオフセットが現れる場合も少なくない。
【００１２】
加えて、ピックアップ２の傾きが最適化されていない場合には、内周側にオフセットしている物理アドレスから得られる信号振幅と、外周側にオフセットしている物理アドレスから得られる信号振幅とがアンバランスになっていることもある。エンボスピットで形成された物理ヘッダ領域では、記録マークよりも通常大きな差信号振幅が得られる。しかし、外乱や物理アドレスでの振幅アンバランスがあると、閾値に十分な検出マージンを確保することが難しくなる。検出マージンが小さい状態で、欠陥などによる差信号の乱れが現れると、物理ヘッダ領域を誤って判定してしまうという問題がある。
このように、オフセット極性の検出に使われる差信号には、記録マークの明暗による外乱や、トラッキングの不安定に起因する低周波のオフセット、欠陥に起因する変動などが加わることがあり、これらが物理ヘッダ領域判定の妨げになっていた。
特に、ランドトラックとグルーブトラックとの判定を誤った場合には、トラッキングサーボ極性を反転させてしまうことによって、記録再生トラックを正確にトレースできなくなるという問題も生じる。
【００１３】
特許文献１では、ヘッダ検出ゲートによって整形信号Ｌ０および整形信号Ｒ０のパルス列を検出する期間を制限し、記録セクタの記録領域内に現れたパルス列をノイズとして除去する機能が説明されている。具体的には、記録トラックのトレース中に、先行して検出されたヘッダ検出ゲートをもとに、記録セクタの記録領域に相当する期間、検出ゲートを閉じる。これにより、記録領域内で欠陥によるパルス列が現れた場合でもこれを除外できる。しかし、このようなヘッダ検出ゲートは、シーク動作直後に物理ヘッダ領域を検出する場合には有効に働かない。具体的には、シーク動作によってピックアップ２がランドトラックとグルーブトラックとのトラック間を移動した後では、直前に検出された物理ヘッダ領域をもとに、ヘッダ検出ゲートを作ることができない。また、シーク動作中にはピックアップ２が複数のトラックを横断することによって、差信号に大きな乱れが生じる。このように、シーク動作直後では差信号の乱れが大きく、しかもヘッダ検出ゲートによる保護も期待できないため、物理ヘッダ領域を正確に検出することが難しいという問題があった。
【００１４】
また、特許文献２には、トラッキング制御の不安定化およびオフトラックを抑制するにあたって、ハイパスフィルタを利用して、トラックの内周側、外周側に隣接するランドプリピットを分離し、振幅を検出する方法が開示されている。しかし、この技術は物理ヘッダ領域の検出誤りを低減するものではなかった。
このように、光ディスクの物理ヘッダ領域の判定において誤りが生じるという問題があった。
【課題を解決するための手段】
【００１５】
本発明に係るヘッダ領域判定回路及びその方法では、光ディスク装置で検出した差信号に対して、高域通過フィルタを適宜用いることによって、物理ヘッダの領域を判定する処理の誤りを抑制することを実現する。
【００１６】
本発明に係るヘッダ領域判定回路の一態様は、光ディスクに形成された物理ヘッダ領域を判定する回路であり、差信号検出部、高域通過フィルタ、波形整形部、及び、物理ヘッダ検出部を備える。ここで、光ディスクは、光ディスク上に形成された溝部と溝間部の双方を情報記録部として備え、情報記録部が、溝部からなる記録トラックと溝間部からなる記録トラックとが交互に接続した一つの記録スパイラルから構成され、かつ、物理ヘッダ領域と記録領域とを含む複数の記録セクタによって構成されるディスクである。差信号検出部は、２分割された受光部を含む受光素子によって光ディスクから受光した受光量の差に比例する差信号を検出する。高域通過フィルタは、通過帯域制御信号と、差信号とを受け、通過帯域制御信号に応じて複数の遮断周波数を切り替え、差信号から低周波数成分を除去した差信号ＨＰＦ出力を生成する。波形整形部は、パルス閾値を保持し、パルス閾値を用いて差信号ＨＰＦ出力をパルス化した整形信号を生成する。物理ヘッダ検出部は、整形信号が示すパルスの持続時間を計測して、物理ヘッダ領域を検出し、物理ヘッダ領域の検出結果に基づいて、物理ヘッダ領域が溝部と溝間部とのいずれかであるかを判定したグルーブ検出信号と、物理ヘッダ領域の少なくとも一部分に対応する差信号に対して、高域通過フィルタの遮断周波数を引き下げるように制御する通過帯域制御信号とを生成する。
このような構成により、高域通過フィルタの遮断周波数を物理ヘッダ領域の検出結果に応じて調整する。このため、物理ヘッダ検出部が高域通過フィルタの遮断周波数を制御する通過帯域制御信号を生成し、高域通過フィルタは、通過帯域制御信号に応じて、複数の遮断周波数を切り替える。このような構成により、物理ヘッダ領域の検出期間の少なくとも一部分において、除去する低周波成分のレベルを引き下げるため、物理ヘッダ領域の検出漏れを抑制する。一方、物理ヘッダ領域を検出したと認識した後、高域通過フィルタの遮断周波数を戻すように機能するため、差信号に混入した誤差成分に基づいて物理ヘッダ領域を誤って検出することを回避する。これにより、物理ヘッダ領域の検出の誤りを抑制することができる。
【００１７】
また、本発明に係る光ディスク装置の一態様は、上述したような光ディスク装置を装着し、光ディスクに記録された情報を再生する装置であり、２分割された受光部を含む受光素子を有する光ピックアップに加え、本発明に係るヘッダ領域判定方法の実現に関連する構成として、上述した差信号検出部、高域通過フィルタ、波形整形部、及び、物理ヘッダ検出部を備える。さらに、グルーブ検出信号に応じて、トラッキング極性を制御する極性制御部を少なくとも備える。
【００１８】
さらに、本発明に係るヘッダ判定方法の一態様は、光ディスク上に形成された溝部と溝間部の双方を情報記録部として備え、情報記録部が、溝部からなる記録トラックと溝間部からなる記録トラックとが交互に接続した一つの記録スパイラルから構成され、かつ、物理ヘッダ領域と記録領域とを含む複数の記録セクタによって構成される光ディスクに関する、物理ヘッダ領域を判定するヘッダ領域判定方法である。ヘッダ領域判定方法は、まず、２分割された受光部が光ディスクから受光した受光量の差に比例する差信号を検出し、複数の遮断周波数を切り替えて、差信号から低周波数成分を除去した差信号ＨＰＦ出力を生成する。次に、予め保持するパルス閾値を用いて差信号ＨＰＦ出力をパルス化した整形信号を生成し、整形信号が示すパルスの持続時間を計測して、物理ヘッダ領域を検出する。そして、物理ヘッダ領域の検出結果に基づいて、物理ヘッダ領域の少なくとも一部分に対応する差信号に対して、高域通過フィルタの遮断周波数を引き下げるように制御する。物理ヘッダ領域を検出すると、物理ヘッダ領域が溝部と溝間部とのいずれかであるかを判定する。物理ヘッダ領域の検出結果に応じて、高域通過フィルタの遮断周波数を引き下げる制御を実施することによって、差信号から除去する低周波成分のレベルを調整する。これにより、物理ヘッダ領域の検出期間の少なくとも一部分において、除去する低周波成分を少なくし、物理ヘッダ領域の検出漏れを防止するとともに、差信号の誤差成分を適切に除去して物理ヘッダ領域の誤検出を抑制する。
【発明の効果】
【００１９】
本発明によれば、物理ヘッダ領域の判定の誤りの発生を抑制することが可能となる。
【図面の簡単な説明】
【００２０】
【図１】第１の実施形態による光ディスク装置の構成例を示す図である。
【図２】第１の実施形態による物理ヘッダ検出シーケンサの構成例を示す図である。
【図３】第１の実施形態によるヘッダ判定シーケンサの状態遷移の一例を示す図である。
【図４】第１の実施形態による各部の信号波形の一例を示す図である。
【図５】パルス列検出ミスが発生した場合の各部の信号波形の一例を示す図である。
【図６】第２の実施形態による物理ヘッダ検出シーケンサの構成例を示す図である。
【図７】第２の実施形態によるヘッダ判定シーケンサの状態遷移の一例を示す図である。
【図８】第２の実施形態による各部の信号波形の一例を示す図である。
【図９】第３の実施形態による物理ヘッダ検出シーケンサの構成例を示す図である。
【図１０】第３の実施形態による各部の信号波形の一例を示す図である。
【図１１】第１の実施形態の変形例による物理ヘッダ検出シーケンサの構成例を示す図である。
【図１２】本発明によるヘッダ領域判定回路の構成例を示す図である。
【図１３】関連技術の実施例を示す図である。
【図１４】関連技術の実施例による各部の信号波形を示す図である。
【発明を実施するための形態】
【００２１】
以下、本発明の実施形態について、図面を参照しながら説明する。説明の明確化のため、以下の記載及び図面は、適宜、省略、及び簡略化がなされている。各図面において同一の構成または機能を有する構成要素および相当部分には、同一の符号を付し、その説明は省略する。
【００２２】
以降に説明する各実施形態では、光ディスクとして、ＤＶＤ−ＲＡＭである場合を説明する。しかしながら、ＤＶＤ−ＲＡＭに限らず、光ディスクが次のような特徴を有する場合、本願の各実施形態を適用することが可能である。各実施形態の光ディスク装置が装着する光ディスクは、光ディスク上に円周状に形成された溝部（以降、適宜「グルーブ」ともいう）と溝間部（以降、適宜「ランド」ともいう）の双方を情報記録部として備える。情報記録部は、溝部からなる記録トラック（以降、適宜「グルーブトラック」ともいう）と、溝間部からなる記録トラック（以降、適宜「ランドトラック」ともいう）とが交互に接続し一つの記録スパイラルを形成する。加えて、溝部及び溝間部それぞれの記録トラックは、光ディスク１周当たり整数個の記録セクタによって構成される。各記録セクタは、物理ヘッダ領域と記録領域とを有する。
【００２３】
物理ヘッダ領域は、記録セクタの先頭部分に配置される。溝部の記録トラックと溝間部の記録トラックとに隣接して配置される二つの記録セクタでは、物理ヘッダ領域は、隣接する記録セクタの物理ヘッダ領域と同一半径上に整列するように配置される。言い換えると、一つの記録セクタと、当該一つの記録セクタの外周側または内周側に配置される他の記録セクタの間では、各記録セクタの物理ヘッダ領域は、半径のラインに沿って整列して配置される。
【００２４】
物理ヘッダ領域は、アドレス情報を表す識別信号を含み、第１の部分（前半部）と第２の部分（後半部）とを含む。第２の部分の末尾が記録領域との境界となる。
第１の部分は溝部からなる記録トラックとその外周側に隣接する溝間部からなる記録トラックと共通で、２つの記録トラックの境界上に、溝間部からなる記録トラックのアドレス情報を用いて形成される。
第２の部分は溝部からなる記録トラックとその内周側に隣接する溝間部からなる記録トラックと共通で、２つの記録トラックの境界上に、溝部からなる記録トラックのアドレス情報を用いて形成される。
以下、図面を参照して各実施形態を説明する。
【００２５】
第１の実施形態．
図１に、本発明の第１の実施形態に係る光ディスク装置の構成例のブロック図を示す。
光ディスク装置１００は、ピックアップ２、和信号検出部３、差信号検出部４、再生信号処理部５、高域通過フィルタ（ＨＰＦ）６、波形整形部７、物理ヘッダ検出シーケンサ（物理ヘッダ検出部）８、情報再生部９、アドレス再生部１０、システム制御部１１、極性制御部１２、極性選択部１３、及び、トラッキング制御部１４を備える。加えて、光ディスク装置１００は、光ディスク１を装着する手段を備える。図１３と同じ符号の構成要素は同様の機能を実施するため、適宜説明を省略する。
【００２６】
ピックアップ２は、光ディスク１からの反射光を検出し、検出した反射光を検出信号に変換して和信号検出部３と差信号検出部４とへ出力する。ピックアップ２は、２分割された受光部を含み、二つの受光部が受光した反射光を第１の検出信号と第２の検出信号へ変換して出力する。
和信号検出部３は、第１の検出信号と第２の検出信号とを加算して、反射光量に比例する和信号を出力する。
差信号検出部４は、第１の検出信号と第２の検出信号との差分を算出して、差信号を出力する。
再生信号処理部５は、和信号を受け、波形等化処理やデータ判定を行って、和信号を２値化データに変換し、情報再生部９とアドレス再生部１０とへ出力する。
【００２７】
高域通過フィルタ６は、差信号検出部４が出力した差信号から、低周波成分を取り除いて差信号ＨＰＦ出力を生成し、波形整形部７へ出力する。加えて、高域通過フィルタ６は、物理ヘッダ検出シーケンサ８が出力する通過帯域制御信号に応じて、複数の遮断周波数を切り替える機能を備える。高域通過フィルタ６は、複数の遮断周波数として、少なくとも第１の遮断周波数と、第１の遮断周波数より低い周波数を設定した第２の遮断周波数とを設定可能であり、通過帯域制御信号に応じて、第１の遮断周波数と第２の遮断周波数とを切り替える。
【００２８】
波形整形部７は、差信号ＨＰＦ出力を受け、整形信号を生成し、物理ヘッダ検出シーケンサ８へ出力する。具体的には、波形整形部７は、パルス閾値ＬｔｈとＲｔｈをもつ２つのコンパレータ７０１、７０２によって入力信号（差信号ＨＰＦ出力）を２値化し、コンパレータ７０１から整形信号Ｌ０を、コンパレータ７０２から整形信号Ｒ０を出力する。パルス閾値Ｌｔｈ及びＲｔｈは予め設定された値であり、コンパレータ７０１、７０２それぞれが保持する。言い換えると、波形整形部７は、パルス閾値を保持し、差信号ＨＰＦ出力に基づいて、パルス閾値を超える第１の極性側に現れる第１のパルスと、パルス閾値を超えるパルスが第１の極性側とは異なる第２の極性に現れる第２のパルスとを示す整形信号を生成して出力する。
【００２９】
物理ヘッダ検出シーケンサ８は、整形信号が示すパルスの持続時間を計測して、物理ヘッダ領域を検出し、物理ヘッダ領域の検出結果に基づいて、グルーブ検出信号と通過帯域制御信号とを生成する。グルーブ検出信号は、物理ヘッダ領域が溝部と溝間部とのいずれかであるかを判定した信号であり、言い換えると、記録セクタの記録領域がランドトラック上にあるかグルーブトラック上にあるかを示す信号である。通過帯域制御信号は、物理ヘッダ領域の少なくとも一部分に対応する差信号に対して、高域通過フィルタ６の遮断周波数を引き下げるように制御する信号であり、言い換えると、物理ヘッダ領域の検出結果に応じて、高域通過フィルタ６の遮断周波数を切り替えることを指示する信号である。
本実施形態では、物理ヘッダ検出シーケンサ８は、物理ヘッダ領域のうち、第１の部分と第２の部分とのいずれかに対応する差信号の一部分に対して、高域通過フィルタ６の遮断周波数を引き下げるように制御する通過帯域制御信号を生成する場合を説明する。具体的には、物理ヘッダ領域の先頭部分を検出したと判定した後、第１の部分の先頭領域を検出してから第２の部分の先頭領域を検出するまでの期間、第２の遮断周波数を高域通過フィルタ６に設定し、この期間以外に第１の遮断周波数を高域通過フィルタ６に設定するように制御する、通過帯域制御信号を生成する場合を説明する。
【００３０】
さらに、物理ヘッダ検出シーケンサ８は、整形信号Ｌ０と整形信号Ｒ０をもとに、記録セクタの物理ヘッダ領域を判定し、ＯＰＩＤ検出信号、ＩＰＩＤ検出信号を生成する。ＯＰＩＤ検出信号は、外周側にオフセットして記録された物理ヘッダ領域を検出したことを示す信号である。ＩＰＩＤ検出信号は、内周側にオフセットして記録された物理ヘッダ領域を検出したことを示す信号である。
【００３１】
情報再生部９は、再生信号処理部５から出力される２値化データと、物理ヘッダ検出シーケンサ８から出力されるＯＰＩＤ検出信号及びＩＰＩＤ検出信号とを用いて、復調処理や誤り訂正処理を行なって再生データを出力する。具体的には、情報再生部９は、記録領域においてＩＰＩＤ検出信号とＯＰＩＤ検出信号との論理和が"０"レベルをとることに基づいて、記録領域に記録された２値化データを判別し、判別した２値化データの復調、誤り訂正を行う。
アドレス再生部１０は、再生信号処理部５から出力される２値化データと、物理ヘッダ検出シーケンサ８から出力されるＯＰＩＤ検出信号及びＩＰＩＤ検出信号とを用いて、物理アドレス領域に記録されたエンボスピットによるアドレス情報を抽出して復調し、システム制御部１１にアドレス情報を出力する。具体的には、アドレス再生部１０は、物理ヘッダ領域においてＩＰＩＤ検出信号とＯＰＩＤ検出信号とのいずれかが"１"レベルをとることに基づいて、物理ヘッダ領域に形成されたエンボスピットから得られる２値化データを判別し、判別した２値化データから、アドレス再生を行う。
【００３２】
極性制御部１２は、物理ヘッダ検出シーケンサ８から出力されるグルーブ検出信号と、システム制御部１１から出力されるトラッキングオン／オフを示す信号とを受け、トラッキング極性を選択し、トラッキング極性選択結果（トラッキング極性選択信号）を出力する。
極性選択部１３は、極性制御部１２によるトラッキング極性選択結果に応じて、差信号検出部４から出力される差信号の極性を反転してトラッキング制御部１４に出力する。
【００３３】
次に、物理ヘッダ検出シーケンサ８の詳細を、図２と図３とを参照して詳しく説明する。図２は、第１の実施形態による物理ヘッダ検出シーケンサ８の構成例を示す図である。図３は、第１の実施形態によるヘッダ判定シーケンサの状態遷移の一例を示す図である。
物理ヘッダ検出シーケンサ８は、ヘッダ判定部８１１とランド／グルーブ判定部８２１とを備える。加えて図２に示すヘッダ判定部８１１は、パルス列持続時間カウンタ８０１、８０２、ヘッダ判定シーケンサ８０３、ヘッダ長保護カウンタ８０４、及び、誤検出保護カウンタ８０５を備える。
物理ヘッダ検出シーケンサ８では、ヘッダ判定部８１１が整形信号Ｌ０、Ｒ０を受け、ヘッダ判定部８１１がＯＰＩＤ検出信号とＩＰＩＤ検出信号とを、ランド／グルーブ判定部８２１、情報再生部９、及びアドレス再生部１０へ出力し、グルーブ検出信号を極性制御部１２へ出力し、ランド／グルーブ判定部８２１が通過帯域制御信号を高域通過フィルタ６へ出力する。
【００３４】
ヘッダ判定部８１１は、パルス持続時間閾値（以降、適宜「閾値Ｔｗ」ともいう）を保持する。パルス持続時間閾値は、物理ヘッダ領域の検出を判定するパルス幅であり、パルス幅は、パルスまたはパルスが持続して現れる時間を指定する。まず、ヘッダ判定部８１１は、第１のパルスを検出すると、検出した第１のパルスの持続時間を計測する。そして、計測する持続時間がパルス持続時間閾値を超えると、第２の遮断周波数を高域通過フィルタ６に設定するように制御する通過帯域制御信号を生成して出力する。次に、ヘッダ判定部８１１は、第１のパルスを検出後、第２のパルスを検出すると、検出した第２のパルスの持続時間を計測する。そして、計測する持続時間がパルス持続時間閾値を超えると、第１の遮断周波数を高域通過フィルタ６に設定するように制御する通過帯域制御信号を生成して出力する。さらに、ヘッダ判定部８１１は、第２のパルスを検出後、第１のパルスと同じ極性の第３のパルスが検出すると、第３のパルスの持続時間を計測する。そして、計測する持続時間がパルス持続時間閾値を超えると、物理ヘッダ領域の検出に成功したと判定し、第１のパルス及び第２のパルスの極性を出力する。ここで、第１のパルスは、図１において、パルス閾値ＬｔｈとＲｔｈとのいずれか一方のパルス閾値を超えるパルスであり、第２のパルスは、他方のパルス閾値、言い換えると、第１のパルスとは異なる極性のパルス閾値を超えるパルスである。
【００３５】
ランド／グルーブ判定部８２１は、第１のパルス及び第２のパルスの極性に応じて、判定した物理ヘッダ領域を有する記録セクタが、溝部と溝間部とのいずれであるかを判定し、グルーブ検出信号を生成する。具体的には、ランド／グルーブ判定部８２１は、ＯＰＩＤ検出信号及びＩＰＩＤ検出信号に基づいて、第１の領域と第２の領域とで検出されたパルスの極性を取得し、グルーブ検出信号を生成する。
【００３６】
続いて、ヘッダ判定部８１１の詳細について説明する。
パルス列持続時間カウンタ（第１パルス列持続時間カウンタ）８０１は、整形信号Ｌ０に、パルス幅の閾値Ｔｗの期間パルス列が現れたことをヘッダ判定シーケンサ８０３に通知する。具体的には、パルス列持続時間カウンタ８０１は、閾値Ｔｗを保持し、物理ヘッダ検出シーケンサ８に入力される整形信号Ｌ０を受け、整形信号Ｌ０にパルス列が現れている時間Ｔｏｐ（以降、適宜「パルス持続時間Ｔｏｐ」または「時間Ｔｏｐ」ともいう）を計測してカウンタの値を加算する。そして、カウンタの値（パルス持続時間Ｔｏｐ）が閾値Ｔｗを超えると、ヘッダ判定シーケンサ８０３に通知する。
【００３７】
パルス列持続時間カウンタ（第２パルス列持続時間カウンタ）８０２は、パルス列持続時間カウンタ８０１と同様に、整形信号Ｒ０に、パルス幅の閾値Ｔｗの期間パルス列が現れたことをヘッダ判定シーケンサ８０３に通知する。具体的には、パルス列持続時間カウンタ８０２は、閾値Ｔｗを保持し、物理ヘッダ検出シーケンサ８に入力される整形信号Ｒ０を受け、整形信号Ｒ０にパルス列が現れている時間Ｔｉｐ（以降、適宜「パルス持続時間Ｔｉｐ」または「時間Ｔｉｐ」ともいう）を計測してカウンタの値を加算する。そして、カウンタの値（パルス持続時間Ｔｉｐ）が閾値Ｔｗを超えると、ヘッダ判定シーケンサ８０３に通知する。
【００３８】
加えて、パルス列持続時間カウンタ８０１は、あらかじめ定めた閾値Ｔｒを保持し、整形信号Ｌ０にパルス列が現れなくなってから、閾値Ｔｒの期間を経過すると、カウンタが保持する値をリセットし、次に整形信号Ｌ０にパルス列が現れた時点から再び時間Ｔｏｐの計測を始めるように動作する。同様に、パルス列持続時間カウンタ８０２は、整形信号Ｒ０にパルス列が現れなくなってから、閾値Ｔｒの期間を経過すると、カウンタが保持する値をリセットし、次に整形信号Ｒ０にパルス列が現れた時点から再び時間Ｔｉｐの計測を始めるように動作する。
【００３９】
閾値Ｔｒは、閾値Ｔｗより短い時間であって、パルス列が現れなくなったことを検出するために適切な時間が設定される。これは物理ヘッダ領域の第１の部分と第２の部分とに対応して現れるパルス列に対応するためである。具体的には、整形信号Ｌ０または整形信号Ｒ０では、物理ヘッダ領域の第１の部分の先頭から閾値Ｔｗを超えるパルス列が現れた後、第２の部分ではパルス列を検出しない。その後、物理ヘッダ領域と記録領域との境界になると段差が生じるため、第１の部分でパルス列が現れた整形信号に再びパルス列が現れる。当該段差のパルス列は、物理ヘッダ領域の末尾に相当する。このパルス列の持続時間を計測するため、パルス列持続時間カウンタ８０１、８０２は、閾値Ｔｒを用いて、パルス列を検出しなくなってから閾値Ｔｒの時間が経過した時点でリセットされる。
【００４０】
ヘッダ判定シーケンサ８０３は、パルス列持続時間カウンタ８０１、８０２からの通知と、ヘッダ長保護カウンタ８０４、および誤検出保護カウンタ８０５からの通知に基づいて、内部状態を保持し、更新する。内部状態は、整形信号Ｌ０及び整形信号Ｒ０の状態を示すものであり、初期状態Ｓ０から状態Ｓ５までの６種類の遷移状態に分類される。遷移状態については、図３を参照して後述する。
加えて、ヘッダ判定シーケンサ８０３は、内部状態に応じて、ＯＰＩＤ検出信号、ＩＰＩＤ検出信号、及び、通過帯域制御信号を制御する。
【００４１】
ヘッダ長保護カウンタ８０４は、ヘッダ判定シーケンサ８０３が保持する内部状態が、初期状態Ｓ０から状態Ｓ１または状態Ｓ２に遷移して以降、経過した時間を経過時間Ｔｈとして計測する。ヘッダ長保護カウンタ８０４は、物理ヘッダ領域を検出する期間を限定する領域検出閾値を保持し、経過時間Ｔｈを領域検出閾値と比較し、経過時間Ｔｈが領域検出閾値を超えると、ヘッダ判定シーケンサ８０３へ通知する。本実施形態では、領域検出閾値として、閾値Ｔｅ１、Ｔｅ２を用いる場合を説明する。閾値Ｔｅ１は、物理ヘッダ領域の第１の部分を検出後、物理ヘッダ領域の第２の部分を検出する期間を限定する部分領域検出閾値であり、第１の部分の長さに相当する期間が設定される。閾値Ｔｅ２は、物理ヘッダ領域の第１の部分を検出後、物理ヘッダ領域を検出する期間を限定するヘッダ領域検出閾値であり、物理ヘッダ領域の長さに相当する期間が設定される。ヘッダ長保護カウンタ８０４は、経過時間Ｔｈを計測することにより、ノイズなど起因して、整形信号Ｌ０、Ｒ０のパルス列を誤って検出した場合に、光ディスクを保護する機能を果たす。
【００４２】
誤検出保護カウンタ８０５は、ヘッダ判定シーケンサ８０３が保持する内部状態が状態Ｓ５に遷移した時点からの経過時間Ｔｍを計測し、誤検出保護のための一定時間（閾値Ｔｅ３）が経過した時点で、ヘッダ判定シーケンサ８０３に通知する。誤検出保護カウンタは、予め設定した、誤検出から光ディスク装置を保護するための任意の時間の閾値Ｔｅ３を保持する。
【００４３】
ヘッダ判定部８１１内では、ヘッダ判定シーケンサ８０３が保持する内部状態に応じてヘッダ長保護カウンタ８０４及び誤検出保護カウンタ８０５が処理を実施するように構成される。
【００４４】
続いて、図３を参照して、ヘッダ判定シーケンサ８０３が内部で保持し、更新する整形信号Ｌ０、Ｒ０の状態（内部状態）について説明する。初期状態Ｓ０は物理ヘッダ領域の検出開始の初期状態であり、ヘッダ判定シーケンサ８０３が整形信号Ｌ０および整形信号Ｒ０にパルス列が現れるのを待つ状態である。状態Ｓ１は、整形信号Ｌ０にパルス列を検出した状態（ＩＰＩＤ検出状態）であり、状態Ｓ２は、整形信号Ｒ０にパルス列を検出した状態（ＯＰＩＤ検出状態）である。言い換えると状態Ｓ１、Ｓ２とは、整形信号Ｌ０、Ｒ０のいずれかにパルス（パルス列）が出現し、第１の極性のパルスを検出した状態であるといえる。
状態Ｓ３は、整形信号Ｌ０にパルス列を検出した後、整形信号Ｒ０にパルス列を検出した状態（ＯＰＩＤ検出状態）であり、状態Ｓ４は、整形信号Ｒ０にパルス列を検出した後、整形信号Ｌ０にパルス列を検出した状態（ＩＰＩＤ検出状態）である。言い換えると状態Ｓ３、Ｓ４とは、第１の極性のパルスを検出した後、第１の極性と異なる第２の極性のパルスを検出した状態であるといえる。状態Ｓ５は、初期状態Ｓ０に戻る前に設定された誤検出を保護する保護期間である。
【００４５】
ヘッダ判定シーケンサ８０３は、初期状態Ｓ０のときに、整形信号Ｒ０のパルス列が持続する時間Ｔｉｐが閾値Ｔｗを超えたこと（Ｔｉｐ＞Ｔｗ）を示す通知（ＩＰＩＤパルス列検出信号）をパルス列持続時間カウンタ８０２から受ける。通知を受けると、ヘッダ判定シーケンサ８０３は、当該パルス列を内周側にオフセットした物理ヘッダ領域の第１の領域を検出したと判定し、初期状態Ｓ０から状態Ｓ１に遷移する。
一方、ヘッダ判定シーケンサ８０３は、初期状態Ｓ０のときに、整形信号Ｌ０のパルス列が持続する時間Ｔｏｐが、閾値Ｔｗを超えたこと（Ｔｏｐ＞Ｔｗ）を示す通知（ＯＰＩＤパルス列検出信号）をパルス列持続時間カウンタ８０１から受ける。通知を受けると、ヘッダ判定シーケンサ８０３は、当該パルス列を外周側にオフセットした物理ヘッダ領域の第１の領域を検出したと判定し、初期状態Ｓ０から状態Ｓ２に遷移する。
【００４６】
ヘッダ判定シーケンサ８０３は、初期状態Ｓ０から状態Ｓ１または状態Ｓ２へ遷移すると、ヘッダ長保護カウンタ８０４に通知する。
ヘッダ長保護カウンタ８０４は、ヘッダ判定シーケンサ８０３の内部状態が、初期状態Ｓ０から、状態Ｓ１または状態Ｓ２に遷移して以降、経過した時間を経過時間Ｔｈとして計測する。
【００４７】
続いて、初期状態Ｓ０から状態１に遷移した後の状態遷移を説明する。
ヘッダ判定シーケンサ８０３は、状態Ｓ１のときに、整形信号Ｌ０のパルス列が持続する時間Ｔｏｐが閾値Ｔｗを超えた通知をパルス列持続時間カウンタ８０１から受けると、状態Ｓ３に遷移する。
ただし、状態１のときに、ヘッダ長保護カウンタ８０４が計測する経過時間Ｔｈが、物理ヘッダ領域の第１の部分の長さに相当する閾値Ｔｅ１を超えると、ヘッダ判定シーケンサ８０３は、ヘッダ長保護カウンタ８０４から検出時間切れ（Ｔｈ＞Ｔｅ１）を示す通知（部分領域の検出時間切れ通知）を受ける。ヘッダ判定シーケンサ８０３は、部分領域の検出時間切れ通知を受け取ると、内部状態を状態１から状態Ｓ５に遷移させる。
【００４８】
次に、状態Ｓ３では、物理ヘッダ領域と記録領域との境界になると、物理ヘッダ領域と記録領域との段差によって整形信号Ｒ０にパルスまたはパルス列が現れる。パルス列持続時間カウンタ８０２は、整形信号Ｒ０に現れるパルスまたはパルス列を検出すると、時間Ｔｉｐの計測を開始する。計測開始時点では、パルス列持続時間カウンタ８０２は、前回検出したパルス列がなくなってから閾値Ｔｒの時間を経過しているため、リセットされている。パルス列持続時間カウンタ８０２は、時間Ｔｉｐが閾値Ｔｗを超えると、ヘッダ判定シーケンサ８０３へ通知する。ヘッダ判定シーケンサ８０３は、状態３のときに、パルス列持続時間カウンタ８０２から通知を受けると、物理ヘッダ領域の末尾を検出したと判断し、状態Ｓ５に遷移する。
【００４９】
ただし、状態Ｓ３のときに、ヘッダ長保護カウンタ８０４が計測する経過時間Ｔｈが、物理ヘッダ領域全体の長さに相当する閾値Ｔｅ２を超えると、ヘッダ判定シーケンサ８０３は、ヘッダ長保護カウンタ８０４から検出時間切れを示す通知（ヘッダ領域の検出時間切れ通知）を受ける。ヘッダ判定シーケンサ８０３は、ヘッダ領域の検出時間切れ通知を受けると、物理ヘッダ領域の末尾の検出を示す、時間Ｔｉｐが閾値Ｔｗを超えた通知を待たず、強制的に状態Ｓ５に遷移する。
【００５０】
ヘッダ判定シーケンサ８０３は、内部状態が状態Ｓ１〜Ｓ４のいずれかから状態Ｓ５へ遷移すると、誤検出保護カウンタ８０５へ通知する。
誤検出保護カウンタ８０５は、ヘッダ判定シーケンサ８０３から状態Ｓ５へ遷移したことを通知されると、状態Ｓ５に遷移した時点からの経過時間Ｔｍを計測し、誤検出保護のための一定時間Ｔｅ３が経過した時点で、ヘッダ判定シーケンサ８０３に通知する。ヘッダ判定シーケンサ８０３はこの通知を受けて状態Ｓ０に遷移し、再び整形信号Ｌ０および整形信号Ｒ０のパルス列検出を継続する。初期状態Ｓ０に遷移すると、各カウンタが保持する値は初期化される。
【００５１】
次に、初期状態Ｓ０から状態２に遷移した後の状態遷移を説明する。
ヘッダ判定シーケンサ８０３は、状態Ｓ２のときに、整形信号Ｒ０のパルス列持続時間Ｔｉｐが閾値Ｔｗを超えた通知を受けると、状態Ｓ４に遷移する。
ただし、状態Ｓ１と同様に、状態２のときに、ヘッダ長保護カウンタ８０４が計測する経過時間Ｔｈが、閾値Ｔｅ１を超えると、ヘッダ判定シーケンサ８０３は、ヘッダ長保護カウンタ８０４から検出時間切れ（Ｔｈ＞Ｔｅ１）を示す通知（部分領域の検出時間切れ通知）を受ける。ヘッダ判定シーケンサ８０３は、部分領域の検出時間切れ通知を受け取ると、内部状態を状態２から状態Ｓ５に遷移させる。
【００５２】
次に、状態Ｓ４のときに、物理ヘッダ領域と記録領域との境界になると、物理ヘッダ領域と記録領域との段差によって整形信号Ｌ０にパルスまたはパルス列が現れる。パルス列持続時間カウンタ８０１は、整形信号Ｌ０に現れるパルスまたはパルス列を検出すると、時間Ｔｏｐの計測を開始する。計測開始時点では、パルス列持続時間カウンタ８０１は、前回検出したパルス列がなくなってから閾値Ｔｒの時間を経過しているため、リセットされている。パルス列持続時間カウンタ８０１は、時間Ｔｏｐが閾値Ｔｗを超えると、ヘッダ判定シーケンサ８０３へ通知する。ヘッダ判定シーケンサ８０３は、状態４のときに、パルス列持続時間カウンタ８０１から通知を受けると、物理ヘッダ領域の末尾を検出したと判断し、状態Ｓ５に遷移する。
【００５３】
ただし、状態Ｓ４のときに、ヘッダ長保護カウンタ８０４が計測する経過時間Ｔｈが、物理ヘッダ領域全体の長さに相当する閾値Ｔｅ２を超えると、ヘッダ判定シーケンサ８０３は、ヘッダ長保護カウンタ８０４から検出時間切れを示す通知（ヘッダ領域の検出時間切れ通知）を受ける。ヘッダ判定シーケンサ８０３は、ヘッダ領域の検出時間切れ通知を受けると、物理ヘッダ領域の末尾の検出を示す、時間Ｔｏｐが閾値Ｔｗを超えた通知を待たず、強制的に状態Ｓ５に遷移する。
内部状態が状態Ｓ５へ遷移した後の動作は、状態１または状態３から状態５へ遷移した場合と同様であるため、説明を省略する。
【００５４】
以上説明したように、内部状態が状態Ｓ１または状態Ｓ２である場合、第１のパルスを検出している状態であり、検出に誤りがない場合、物理ヘッダ領域の第１の部分に対応するパルス列を検出している状態である。また、状態Ｓ３または状態Ｓ４である場合、２番目に検出した、第１のパルスとは極性の異なる第２のパルスを検出している状態であり、検出に誤りがない場合、物理ヘッダ領域の第２の部分に対応するパルス列を検出している状態である。さらに、状態Ｓ５または初期状態Ｓ０である場合、記録領域に対応するパルスまたはパルス列が検出されているか、あるいは、物理ヘッダ領域のパルスまたはパルス列の検出に誤りが生じている状態である。
【００５５】
上述した内部状態の遷移に応じて、物理ヘッダ検出シーケンサ８内では、各信号を次のように生成して出力する。
ヘッダ判定シーケンサ８０３は、物理ヘッダの外周側にオフセットした部分を検出したことを示すＯＰＩＤ検出信号を、状態Ｓ２および状態Ｓ３では"１"レベル、その他の状態では"０"レベルに設定して出力する。また、ヘッダ判定シーケンサ８０３は、内周側にオフセットした部分を検出したことを示すＩＰＩＤ検出信号を、状態Ｓ１および状態Ｓ４では"１"レベル、その他の状態では"０"レベルに設定して出力する。
加えて、ヘッダ判定シーケンサ８０３は、通過帯域制御信号を、状態Ｓ１および状態Ｓ２では、遮断周波数を引き下げることを示す"１"レベル、その他の状態では"０"レベルに設定して出力する。
【００５６】
ランド／グルーブ判定部８２１は、ＩＰＩＤ検出信号が"１"レベルから"０"レベルに遷移し、ＯＰＩＤ検出信号が"０"レベルから"１"レベルに遷移すると（状態Ｓ１から状態Ｓ３）、グルーブ検出信号を"０"レベルに設定する。一方、ランド／グルーブ判定部８２１は、ＯＰＩＤ検出信号が"１"レベルから"０"レベルに遷移し、かつ、ＩＰＩＤ検出信号が"０"レベルから"１"レベルに遷移すると（状態Ｓ２から状態Ｓ４）、グルーブ検出信号を"１"レベルに設定する。上述した遷移以外では、グルーブ検出信号が保持する状態を維持する。
【００５７】
次に、光ディスク装置１００の各部の動作波形を用いて説明する。
図４に第１の実施形態に係る光ディスク装置１００の各部の動作波形例を示す。差信号は物理ヘッダ領域の第１の部分及び第２の部分でそれぞれ逆極性のオフセットが加わった波形として得られる。加えて、図１２では明示していなかったが、差信号にはトラッキングの追従誤差に起因する低周波のオフセット変動が重畳されている。また、光ディスク１にトラッキングサーボを乱す欠陥が存在している場合や、外部からの衝撃が加わった場合には、差信号中に更に大きなオフセット変動が現れる。
【００５８】
光ディスク装置１００では、このようなオフセット変動を含む差信号を高域通過フィルタ６に通すことによって、低周波成分を除いた差信号ＨＰＦ出力を得ることができる。ＤＶＤ−ＲＡＭでは物理ヘッダ領域が約２０００チャネルビット分の長さを持っている。通過帯域制御信号が"０"レベルの時の遮断周波数を、チャネルクロック周波数ｆｃに対して１０００分の１程度（ｆｃ／１０００程度）に設定することによって、物理ヘッダ領域の長さと同程度以上の周期をもつ低周波成分を差信号から取り除くことができる。
差信号ＨＰＦ出力は、記録領域の後半では十分に０に近い値をとるようになるため、物理ヘッダ領域の先頭部分のオフセット量は、低周波成分の影響を受けず、概ね記録領域と物理ヘッダ先頭部との間のステップ状の変化量に依存して定まる。閾値Ｌｔｈや閾値Ｒｔｈは、ステップ状の変化量に応じて設定することができるため、欠陥やトラッキングサーボの不安定さに起因する低周波成分の影響を受けにくく、安定なパルス化を実現できる。
【００５９】
物理ヘッダ領域の先頭付近で整形信号Ｌ０にパルス列が現れ、パルス列持続時間Ｔｉｐが閾値Ｔｗを超えると、ヘッダ判定シーケンサ８０３は、内部状態を初期状態Ｓ０から状態Ｓ２に遷移させる。状態Ｓ２では、ヘッダ判定シーケンサ８０３は、ＯＰＩＤ検出信号を"１"レベルに変化させるとともに、通過帯域制御信号を"１"レベルに変化させる。通過帯域制御信号が"１"レベルのとき、高域通過フィルタ６の遮断周波数は、ｆｃ／１００００程度以下に引き下げられる。これによって、物理ヘッダ領域の先頭（第１の部分の先頭）で差信号ＨＰＦ出力中にステップ状に現れたオフセットは減少しにくくなる。
【００６０】
次に、物理ヘッダ領域の後半（第２の部分）で差信号に負極性のステップ状変化が現れると、整形信号Ｒ０にパルス列が現れるようになる。状態Ｓ２で整形信号Ｒ０のパルス列持続時間が閾値Ｔｗを超えると、ヘッダ判定シーケンサ８０３は、内部状態を状態Ｓ４に遷移させ、ＯＰＩＤ検出信号を"０"レベルに、ＩＰＩＤ検出信号を"１"レベルに、通過帯域制御信号を"０"レベルに切り替える。
また、ランド／グルーブ判定部８２１は、ＯＰＩＤ検出信号及びＩＰＩＤ検出信号に基づいて、物理ヘッダ領域が、正極性から負極性に移行したことを検出する。加えて、ランド／グルーブ判定部８２１は、検出結果に基づいて、記録セクタはグルーブトラック上にあると判定し、グルーブ検出信号には"１"レベルをセットする。図４ではグルーブ検出信号が"１"レベルを保持している場合を示しているため、"１"レベルが維持されている。
【００６１】
通過帯域制御信号が"０"レベルに切り替えられることで、高域通過フィルタ６は引き下げた遮断周波数を戻す（引き上げる）。これにより、物理ヘッダ領域の第２の部分では、差信号ＨＰＦ出力のオフセットは徐々にゼロに近づき、整形信号Ｒ０にパルス列が現れにくくなる。その後、物理ヘッダ領域から記録領域に移るのに伴うステップ状の差信号オフセット変化により、差信号ＨＰＦ出力にはオフセットが現れ、整形信号Ｌ０にパルスが出力される。このパルスは、差信号中に混入する外乱の影響で複数のパルス列となる場合もある。パルスあるいはパルス列の持続時間が閾値Ｔｗを超えると、ヘッダ判定シーケンサ８０３は、内部状態を状態Ｓ５に遷移させる。更に、誤検出から光ディスク１を保護するため、誤検出保護カウンタ８０５によって、状態Ｓ５に遷移してから一定時間Ｔｅ３経過後に、内部状態を初期状態Ｓ０に遷移させる。
【００６２】
物理ヘッダ領域の先頭部（第１の部分の先頭部）のオフセットが負極性になる場合も同様である。まず、整形信号Ｒ０のパルス列持続時間Ｔｉｐが閾値Ｔｗを超えることによって、ヘッダ判定シーケンサ８０３は、内部状態を初期状態Ｓ０から状態Ｓ１に遷移させる。続いて、整形信号Ｌ０のパルス列持続時間Ｔｏｐが閾値Ｔｗを超えることによって、内部状態を状態Ｓ３に遷移させる。状態Ｓ１では、通過帯域制御信号が"１"レベルとなるため、差信号ＨＰＦ出力のオフセットは保持され、パルス列が出やすい状態が続く。一方、状態Ｓ３では通過帯域制御信号が"０"レベルに切り替えられ、物理ヘッダ領域の第２の部分では徐々に整形信号Ｌ０のパルス列は現れにくくなる。最後に、記録領域の先頭で整形信号Ｒ０に現れるパルスによって、ヘッダ判定シーケンサ８０３は、内部状態を状態Ｓ５に遷移させる。更に、誤検出から光ディスク１を保護するため、誤検出保護カウンタ８０５によって、状態Ｓ５に遷移してから一定時間Ｔｅ３経過後に、初期状態Ｓ０に戻るように動作する。状態Ｓ１から状態Ｓ３に遷移する際には、記録セクタがランドトラック上にあることが確定し、グルーブ検出信号が"０"レベルに切り替えられるように働く。
【００６３】
次に、図５を参照して物理ヘッダ領域の先頭部のパルス列に取りこぼしが発生した場合の動作を説明する。差信号ＨＰＦ出力では、高域通過フィルタによって低周波のオフセット変動が取り除かれているため、差信号整形部でパルス化を誤ることは少ないものの物理ヘッダ領域の先頭部で差信号の振幅が小さいと、差信号ＨＰＦ出力が閾値Ｌｔｈや閾値Ｒｔｈを超えず、整形信号Ｌ０や整形信号Ｒ０にパルス列が現れなくなる場合がありうる。このような場合でも、ヘッダ判定処理が破綻しないことが求められる。整形信号Ｌ０にパルス列が現れないと、高域通過フィルタの遮断周波数は高い状態に保たれるため、差信号ＨＰＦ出力のオフセットは物理ヘッダ領域の前半部でも０に近づくように変化する。その後、物理ヘッダ領域の後半にあらわれるステップ状の変化によって整形信号Ｒ０にパルス列が現れた時点で、初めて物理ヘッダ検出シーケンサは物理ヘッダ領域を認識し、初期状態Ｓ０から状態Ｓ１に遷移する。
【００６４】
状態Ｓ１では通過帯域制御信号が"１"レベルに切り替えられるため、差信号ＨＰＦ出力のオフセットは大きく変化せず、負のオフセットが大きい状態が保たれる。物理ヘッダ領域から記録領域に移ったときのステップ状のオフセット変化は、ヘッダの前半部から後半部に移るときのオフセット変化より小さいため、記録領域の先頭でも整形信号Ｌ０にパルス列が現れず、シーケンサは状態Ｓ１に遷移して以降の経過時間Ｔｈが物理ヘッダ領域の前半部の長さに相当する閾値Ｔｅ１を超えたことで、状態Ｓ５に遷移する。
【００６５】
状態Ｓ５への遷移とともに、通過帯域制御信号は再び"０"レベルに切り替えられるため、記録領域では帯域通過フィルタの遮断周波数が高い状態に保たれることになる。また、このように物理ヘッダ領域の先頭部のパルス列検出にミスが発生した場合には、状態Ｓ１から状態３への遷移が発生しないため、記録領域をランドトラックと誤判定することはなく、直前の記録領域と同じ極性が保たれる。ＤＶＤ−ＲＡＭでは光ディスク１周当たり数十記録セクタ分ある物理ヘッダ領域のうちで、ランドトラックとグルーブトラックとの切り替えが行なわれる記録セクタは１セクタのみのため、直前の記録領域と同じ極性を保持することで、物理ヘッダ領域の検出ミスがあってもトラッキング極性を誤る確率を低く保つことができる。
【００６６】
以上説明したように、本実施形態によれば、欠陥や記録済みデータによる影響を受けにくく、シーク動作直後でも正しく物理ヘッダ領域を検出するとともに、ランドトラックやグルーブトラックの判定誤りも起こしにくい判定方法を実現することができる。
【００６７】
第２の実施形態．
次に本発明の第２の実施形態に係る光ディスク装置について説明する。装置のブロック図は図１に示した第１の実施形態と同様のため、説明を省略する。図６には第２の実施形態で用いられる物理ヘッダ検出シーケンサ８２の構成を示した。ヘッダ判定部８１２は、図２に示すヘッダ判定部８１１へ、パルス終了カウンタ８０６、８０７を追加した構成となっている。同じ符号の構成要素は同様であるため説明を省略する。
本実施形態では、第１の実施形態に比べ、高域通過フィルタ６の遮断周波数を引き下げる期間を増やす一態様を説明する。具体的には、本実施形態では、ヘッダ判定部８１２は、物理ヘッダ領域の第１の領域を検出したと認識してから物理ヘッダ領域と記録領域との境界（物理ヘッダ領域の末尾）を検出したと認識するまでの期間、高域通過フィルタ６の遮断周波数を引き下げるように制御する場合を説明する。従って、ヘッダ判定部８１２は、実施形態で遮断周波数を引き下げるように制御する状態１及び状態２に加え、状態３及び状態４の期間にも、高域通過フィルタ６の遮断周波数を引き下げるように制御する通過帯域制御信号を生成する。
【００６８】
パルス終了カウンタ（第１パルス終了カウンタ）８０６は、整形信号Ｌ０にパルス列が現れなくなってからの経過時間Ｔｏｚ（以降、適宜「パルス不検出時間Ｔｏｚ」または「時間Ｔｏｚ」ともいう）を計測し、パルス不検出時間Ｔｏｚがあらかじめ定めた閾値Ｔｚを超えたところで、ヘッダ判定シーケンサ８０３に通知する。
パルス終了カウンタ（第２パルス終了カウンタ）８０７は、パルス終了カウンタ８０６と同様に、整形信号Ｒ０にパルス列が現れなくなってからの経過時間Ｔｉｚ（以降、適宜「パルス不検出時間Ｔｉｚ」または「時間Ｔｉｚ」ともいう）を計測し、パルス不検出時間Ｔｏｚがあらかじめ定めた閾値Ｔｚを超えたところで、ヘッダ判定シーケンサ８０３に通知する。
閾値Ｔｚは、パルスまたはパルス列を検出しなくなってからの経過時間の閾値（パルス不検出経過時間閾値）であり、例えば、第２の部分の長さに相当する期間が設定される。パルス終了カウンタ８０６、８０７は、閾値Ｔｚを保持する。
【００６９】
図６の物理ヘッダ検出シーケンサ８２では、整形信号Ｌ０および整形信号Ｒ０は、第１の実施形態と同様にパルス列持続時間カウンタ８０１、８０２にそれぞれ入力されるとともに、パルス終了カウンタ８０６、８０７にも入力される。
パルス列持続時間カウンタ８０１、８０２は、整形信号Ｌ０および整形信号Ｒ０それぞれにパルス列が現れている時間を計測し、閾値Ｔｗを超えたことをヘッダ判定シーケンサ８０３に通知する。
パルス終了カウンタ８０６、８０７は、整形信号Ｌ０および整形信号Ｒ０それぞれにパルス列が現れなくなってからの経過時間Ｔｏｚ、Ｔｉｚを計測し、あらかじめ定めた閾値Ｔｚを超えたところで、ヘッダ判定シーケンサ８０３に通知するように働く。パルス終了カウンタ８０６、８０７が保持するカウンタの値は、それぞれ整形信号Ｌ０、整形信号Ｒ０にパルスが現れた場合に初期化されるのに加えて、初期状態Ｓ０に遷移した場合にも初期化される。
【００７０】
ヘッダ長保護カウンタ８０４は、第１の実施形態と同様に、ヘッダ判定シーケンサ８０３が初期状態Ｓ０から状態Ｓ１または状態Ｓ２に遷移して以降の経過時間を計測し、物理ヘッダ領域の第１の部分の長さに相当する閾値Ｔｅ１を超えた場合と、物理ヘッダ領域全体の長さに相当する閾値Ｔｅ２を越えた時点でそれぞれヘッダ判定シーケンサ８０３に通知する。
誤検出保護カウンタ８０５はヘッダ判定シーケンサ８０３が状態Ｓ５に遷移して以降の経過時間を計測し、誤検出保護のための一定時間Ｔｅ３が経過した時点でヘッダ判定シーケンサ８０３に通知するように働く。
【００７１】
図７に、第２の実施形態で用いられるヘッダ判定シーケンサの状態遷移図を、図８に各部の動作波形を示す。
ヘッダ判定シーケンサ８０３の内部状態は第１の実施形態と同様に初期状態Ｓ０から状態５までの６状態だが、状態Ｓ１、状態Ｓ２だけでなく、状態Ｓ３および状態Ｓ４でも通過帯域制御信号を"１"レベルとする点が第１の実施形態とは異なる。
ヘッダ判定シーケンサ８０３は、初期状態Ｓ０でパルス列持続時間カウンタ８０１から整形信号Ｌ０のパルス列が閾値Ｔｗを超えた通知を受けると、状態Ｓ２に遷移する。状態Ｓ２ではＯＰＩＤ検出信号が"１"レベルとなるとともに、通過帯域制御信号も"１"レベルに切り替えられ、高域通過フィルタの遮断周波数は引き下げられる。更に、整形信号Ｒ０のパルス列持続時間が閾値Ｔｗを超え、状態Ｓ４に遷移しても通過帯域制御信号は"１"レベルに保たれる。これによって、差信号ＨＰＦ出力でも物理ヘッダ領域ではステップ状のオフセット変化が反映される。
【００７２】
物理ヘッダ領域の第２の部分でも差信号ＨＰＦ出力のオフセットはゼロに近づかないことから、整形信号Ｒ０のパルス列は、物理ヘッダ領域の後端まで続く。パルス終了カウンタ８０７は整形信号Ｒ０のパルス列が終了してからの経過時間Ｔｉｚが閾値Ｔｚを超えたことをヘッダ判定シーケンサ８０３に通知し、ヘッダ判定シーケンサ８０３は内部状態を状態Ｓ５に遷移する。更に、ヘッダ判定シーケンサ８０３は、状態Ｓ５に遷移して以降の経過時間が一定時間Ｔｅ３を超えたことを示す通知を誤検出保護カウンタ８０５から受けて、初期状態Ｓ０に戻る。
【００７３】
状態Ｓ１および状態Ｓ３を経由して遷移する場合も同様で、整形信号Ｒ０および整形信号Ｌ０のパルス列持続時間が閾値を超えたことと、整形信号Ｌ０のパルス列が終了したことを検出して、順次遷移が行なわれる。状態Ｓ１や状態Ｓ２に遷移して以降の経過時間が閾値Ｔｅ１を超えた時は、第１の実施形態と同様に、ヘッダ長保護カウンタ８０４からの通知によって状態Ｓ５に遷移し、また、状態Ｓ３や状態Ｓ４で経過時間が閾値Ｔｅ２を超えた通知を受けた場合には状態Ｓ５に遷移する。
グルーブ検出信号も、第１の実施形態と同様に、状態Ｓ２から状態Ｓ４に遷移したときと、状態Ｓ１から状態Ｓ３に遷移したときにそれぞれ"１"レベル、"０"レベルがセットされ、それ以外では以前の値が保持される。
【００７４】
第２の実施形態でも、記録領域では高域通過フィルタ６の遮断周波数が高い状態が保たれる。このため、差信号中の低周波成分は取り除かれ、物理ヘッダ領域で整形信号の誤検出や取りこぼしが低減することが期待できる。
【００７５】
第３の実施形態．
図９に第３の実施形態に係る物理ヘッダ検出シーケンサのブロック図を示す。第１の実施形態と共通の構成要素に関する説明は省略し、差異のある部分を重点に説明する。図９に示す物理ヘッダ検出シーケンサ８３は、図１の物理ヘッダ検出シーケンサ８へ物理ヘッダ同期保護部８３３とアンドゲート８４３とを追加し、ランド／グルーブ判定部８２３の機能を変更している。
本実施形態では、物理ヘッダ領域が、光ディスク上に同じ長さに区切られた記録セクタの先頭部に設けられており、通常の記録、再生動作中には等間隔で現れることを利用する一態様を説明する。具体的には、物理ヘッダ検出シーケンサ８３は、物理ヘッダ領域の検出が所定の回数にわたって成功すると、同期がとれていると判定し、物理ヘッダ領域がほぼ同じ周期で現れると予測して、物理ヘッダ領域が検出できない場合を補完する。
【００７６】
加えて、高域通過フィルタ６に入力される通過帯域制御信号には、ヘッダ判定シーケンサ８０３の内部状態をデコードして生成した信号が直接使われるのではなく、ヘッダ判定シーケンサ８０３の内部状態が状態Ｓ１または状態Ｓ２のときに"１"レベルになる信号を通過帯域制御原信号として、アンドゲート８４３を通してマスクをかけた信号が用いられる。アンドゲート８４３のもうひとつの入力端子には、物理ヘッダ同期保護部８３３から出力される同期フラグを反転して与える。
【００７７】
物理ヘッダ同期保護部８３３は、ＩＰＩＤ検出信号およびＯＰＩＤ検出信号をヘッダ判定シーケンサ８０３から受け、ＰＩＤ保護信号、同期フラグ、及びヘッダ予測ゲート（ヘッダ予測信号）を出力する。
ＰＩＤ保護信号は、ＩＰＩＤ検出信号とＯＰＩＤ検出信号との論理和にあたる信号に、セクタ周期の同期保護をかけた信号である。言い換えると、ＰＩＤ保護信号は、ＩＰＩＤ検出信号やＯＰＩＤ検出信号が、セクタ間隔と同じ周期で現れることを利用して、欠落した部分を補完した信号に当たる。
同期フラグは、物理ヘッダ領域の検出が所定の回数にわたって成功した同期状態を示すフラグである。所定の回数は予め設定され、物理ヘッダ同期保護部８３３が保持する。
ヘッダ予測ゲートは、物理ヘッダ領域の予測位置を示す信号である。ヘッダ予測ゲートは、物理ヘッダ領域の過去の検出結果に基づいて生成される。
【００７８】
情報再生部９及びアドレス再生部１０は、再生信号処理部５から出力される２値化データとＰＩＤ保護信号とを入力し、それぞれ再生データやアドレス情報を出力する。情報再生部９及びアドレス再生部１０では、ＰＩＤ保護信号によってデータ記録領域や物理ヘッダ領域を判別して、ＩＰＩＤ検出信号やＯＰＩＤ検出信号を使う場合と同様に、情報再生やアドレス再生を行う。
【００７９】
従って、物理ヘッダ同期保護部８３３は、ＰＩＤ保護信号を、情報再生部９及びアドレス再生部１０へ入力されるＯＰＩＤ検出信号及びＩＰＩＤ検出信号と同様の形態の信号を生成する。例えば、ＯＰＩＤ検出信号及びＩＰＩＤ検出信号それぞれが入力されている場合、物理ヘッダ同期保護部８３３は、ＯＰＩＤ検出信号及びＩＰＩＤ検出信号に相当する二つの信号をＰＩＤ保護信号として生成する。一方、ＯＰＩＤ検出信号及びＩＰＩＤ検出信号の論理和の信号が入力されている場合、物理ヘッダ同期保護部８３３は、当該論理和の信号に対応する一つの信号をＰＩＤ保護信号として生成する。以降の説明では、物理ヘッダ同期保護部８３３は、ＰＩＤ保護信号として、ＯＰＩＤ検出信号及びＩＰＩＤ検出信号の論理和の信号に対応する信号を生成する場合を一例として説明する。
【００８０】
物理ヘッダ同期保護部８３３は、初期状態Ｓ０の同期フラグを"０"レベルに設定し、ＰＩＤ保護信号としてＩＰＩＤ検出信号とＯＰＩＤ検出信号との論理和の信号を生成し、同期フラグとＰＩＤ保護信号とを出力する。物理ヘッダ同期保護部８３３は、ＩＰＩＤ検出信号とＯＰＩＤ検出信号のパルスが記録セクタの長さと同じ周期で、あらかじめ定めた回数以上連続して入力されると、同期フラグを"１"レベル切り替える。加えて、物理ヘッダ同期保護部８３３は、先行記録セクタのＩＰＩＤ検出信号とＯＰＩＤ検出信号から得られるタイミングを元に、次の物理ヘッダ領域の先頭でヘッダ予測ゲートを"１"レベルに、物理ヘッダ領域の末尾で"０"レベルに切り替えて出力する。
【００８１】
物理ヘッダ同期保護部８３３は、同期フラグが"１"レベルの間は、ＰＩＤ保護信号として、先行記録セクタからの予測タイミングをもとに、周期的にパルス出力を続ける。
一方、物理ヘッダ同期保護部８３３は、ＩＰＩＤ検出信号およびＯＰＩＤ検出信号が、あらかじめ定めた回数以上連続して欠落した場合や、予測タイミングと異なるタイミングで入力パルスが現れた場合には、同期フラグを"０"レベルに戻し、再びＩＰＩＤ検出信号とＯＰＩＤ検出信号のパルスが記録セクタの長さと同じ周期で現れるのを待つ。
【００８２】
ランド／グルーブ判定部８２３は、ＩＰＩＤ検出信号、ＯＰＩＤ検出信号、ヘッダ予測ゲート、同期フラグを受け、グルーブ検出信号を出力する。
同期フラグが"０"レベルの場合、ランド／グルーブ判定回路１６は、グルーブ検出信号をＩＰＩＤ検出信号とＯＰＩＤ検出信号とのパルスが現れる順序に応じて切り替える。具体的には、ランド／グルーブ判定回路１６は、ＯＰＩＤ検出信号のパルスに続いてＩＰＩＤ検出信号にパルスが現れた場合、グルーブ検出信号を"１"レベルに切り替え、逆に、ＩＰＩＤ検出信号に続いてＯＰＩＤ検出信号にパルスが現れた場合"０"レベルに切り替える。加えて、ＩＰＩＤ検出信号とＯＰＩＤ検出信号とのパルスが連続して現れない場合、グルーブ検出信号を直前の値に維持する。この場合に得られるグルーブ検出信号は、第１の実施形態の場合と同じものになる。
【００８３】
同期フラグが"１"レベルの場合、ランド／グルーブ判定回路１６は、グルーブ検出信号をＩＰＩＤ検出信号とＯＰＩＤ検出信号とのパルスが現れる順序に応じて切り替える動作は、同期フラグが"０"レベルの場合と同様である。これに加えて、同期フラグが"１"レベルときに、ＩＰＩＤ検出信号やＯＰＩＤ検出信号にパルスが単独で現れた場合（言い換えると、ＩＰＩＤ検出信号とＯＰＩＤ検出信号との一方のみにパルスが現れた場合）、ランド／グルーブ判定回路１６は、ヘッダ予測ゲートとの位置に応じて、グルーブ検出信号を更新する。具体的には、ＩＰＩＤ検出信号のパルスが単独で現れた場合、ランド／グルーブ判定回路１６は、当該パルスが現れた位置が、ヘッダ予測ゲートが"１"レベルの期間の前半（第１の部分）であれば、グルーブ検出信号を"０"レベルに、後半（第２の部分）であれば"１"レベルに切り替える。一方、ヘッダ予測ゲートが"０"レベルの期間に現れた場合、ランド／グルーブ判定回路１６は、グルーブ検出信号を直前の値に維持する。同様に、ヘッダ予測ゲートが"１"レベルの期間の前半に、ＯＰＩＤ検出信号のパルスが現れた場合、ランド／グルーブ判定回路１６は、グルーブ検出信号を"１"レベルに、後半に現れた場合には"０"レベルに切り替える。
【００８４】
この動作によって、整形信号Ｌ０や整形信号Ｒ０のパルス列を取りこぼしてＯＰＩＤ検出信号やＩＰＩＤ検出信号が欠落していた場合でも、正しくランドトラックとグルーブトラックとを判定できる。ランド／グルーブ判定回路１６は、同期フラグを用いることによりＯＰＩＤ検出信号やＩＰＩＤ検出信号が欠落する場合を補償することを可能にする。
【００８５】
図９に示した物理ヘッダ検出シーケンサ８３では、同期フラグが同期状態を示す場合、高域通過フィルタの遮断周波数を引き下げないように制御する通過帯域制御信号を生成し、同期フラグが非同期状態を示す場合、物理ヘッダ領域の検出結果に応じて、物理ヘッダ領域の少なくとも一部分に対応する差信号に対して高域通過フィルタの遮断周波数を引き下げるように制御する通過帯域制御信号を生成するように構成されている。具体的には、物理ヘッダ検出シーケンサ８３は、通過帯域制御信号に同期フラグによるマスクをかけるアンドゲート８４３を有する。同期フラグが"０"レベルの期間では、物理ヘッダ検出シーケンサ８から出力される通過帯域制御原信号と同じパルスが通過帯域制御信号に現れる。このため、差信号ＨＰＦ出力や整形信号Ｌ０、整形信号Ｒ０の波形は、図４に示された第１の実施形態のものと同様になる。一方、同期フラグが"１"レベルの期間には通過帯域制御信号が常に"０"レベルとなる。このため、遮断周波数引き下げが行われなくなる。このときの各部の波形を図１０に示した。
【００８６】
通過帯域制御信号が"０"レベルに保たれることから、差信号ＨＰＦ出力のオフセットは遮断周波数で決まる一定の時定数で０に近づくような波形となる。整形信号Ｌ０および整形信号Ｒ０には、物理ヘッダ領域の先頭、中央、末尾で差信号に現れるステップ状の段差に応じてパルス列が現れ始め、徐々にパルス列がなくなっていく。物理ヘッダ検出シーケンサ８３は、段差の直後に現れるパルス列に反応してパルス列の持続時間を測り、閾値Ｔｗを超えたところで内部状態が更新される。欠陥などによって整形信号Ｌ０や整形信号Ｒ０にパルス列が現れなかった場合には、ＯＰＩＤ検出信号やＩＰＩＤ検出信号が欠落するが、先行記録セクタからの予測によって生成されるヘッダ予測ゲートとの位置関係によってグルーブ検出信号が生成されることで、判定誤りを防ぐことができる。
【００８７】
このような構成例を取ることによって、先行記録セクタによる予測が働かないシーク動作直後では検出性能を優先して通過帯域の切り替えを行い、同期確立後は誤検出による差信号の乱れを極力抑える効果が得られる。シーク動作直後の記録領域で遮断周波数を高く設定して、欠陥やシーク動作によって現れるオフセット変動を除き、物理ヘッダ領域では遮断周波数を引き下げることでパルス列検出の安定性を確保できる点は第１の実施形態と同様である。
更に、複数の記録セクタにわたって物理ヘッダ領域が周期的に検出されるようになると、同期確立と判定し、同期フラグが"１"レベルに変更される。その結果、同期フラグによって通過帯域制御信号をマスクし、常に高域通過フィルタの遮断周波数を高く保つ。これによって、データ領域において閾値を超えるような大きな外乱が現れても、差信号ＨＰＦ出力のオフセットずれを短時間で回復できるようになる。同期フラグが"１"レベルに変更された後は、ヘッダ領域でのパルス列検出の安定性は若干損なわれるが、同時に物理ヘッダ同期保護部８３３による予測動作が働き始めることによって、整形パルス列取りこぼしに伴う悪影響は回避できる。
【００８８】
同期確立と判定するタイミングとしては、シーク動作前後や、トラッキング外れに伴って、連続性が乱れるため、通常は物理ヘッダ領域がセクタ長と同じ周期で何回か連続して検出されたタイミングを用いる。そして、その後は、検出ミスした場合にも、それまでに検出されたタイミングを基に予測し、欠落したと推定される検出パルスを補完してＰＩＤ保護信号を出力する。
ただし、シーク動作やトラッキングの乱れによって、タイミングがまったく変わっている場合に、補完した検出パルスを出し続けてしまうのを避ける必要がある。そのため、予測したタイミングで何回か連続して検出ミスが続いた時には、同期フラグを"０"レベルに変更し、ヘッダ予測ゲートによるグルーブ検出信号の補完をやめて同期を取り直す処理を実施する。
【００８９】
同期確立と判定する検出回数や、同期はずれと判定する検出ミスの回数は、光ディスクの品質に応じて、検出ミスの許容限度を緩くしたり、処理時間を短縮するために同期確立と判定までの検出回数を短くしたい場合も生じる。そのため、半導体集積回路では、同期確立までの検出回数等を、稼働後に変更可能になるようにプログラマブルにすることが好ましい。加えて、光ディスク装置では、たとえば通常状態の検出回数と、読みにくい領域のデータを読み直すときに、同期判定や同期外れ判定までの検出回数を変えるというような処理が行うことも可能である。
【００９０】
なお、ここでは第３の実施形態で用いる物理ヘッダ検出シーケンサとして、第１の実施形態と同様のシーケンサを用いた場合を例に説明した。しかし、同様に第２の実施形態で用いた物理ヘッダ検出シーケンサと、第３の実施形態で説明した物理ヘッダ同期保護部８３３およびランド／グルーブ判定回路とをともに用いても、同様の効果が得られることは明らかである。
【００９１】
その他の実施形態
上述した各実施形態の説明においては、波形整形部７によるパルス化のための閾値ＬｔｈおよびＲｔｈに、固定値を使うものとして説明を進めてきた。しかし、例えば記録領域における差信号ＨＰＦ出力のピーク検出値やボトム検出値を基準に、一定のオフセットを加えた値、あるいは差し引いた値を閾値に採用してもよい。差信号ＨＰＦ出力では、低周波のオフセット変動成分が高域通過フィルタによって取り除かれているため、ピーク検出値やボトム検出値の変動も少ない。しかしながら、ピーク検出値に一定のオフセットを加えた値を閾値Ｌｔｈ、ボトム検出値から一定のオフセットを差し引いた値を閾値Ｒｔｈとすることで、差信号ＨＰＦ出力中に残留している記録マークの明暗に起因する外乱の大きさに応じた閾値に設定することができる。加えて、閾値は、物理ヘッダ検出シーケンサの内部状態によって、値を変更してもよい。物理ヘッダ検出シーケンサの内部状態に応じて閾値を切り替え、物理ヘッダ領域の前半部及び後半部、並びに、記録領域の先頭でのパルス化に最適な閾値を用いることで、ヘッダ領域判定の誤りが起きにくくなる。
【００９２】
また、第１の実施形態では、物理ヘッダ検出シーケンサ８は、ヘッダ判定シーケンサ８０３とランド／グルーブ判定部８２１とを別の構成によって実現する場合を説明したが、この構成例に限られるものではない。例えば、図１１に示すように、ヘッダ判定シーケンサ８０８がグルーブ検出信号を生成する構成であってもよい。図１１に示すヘッダ判定シーケンサ８０３は、図２に示すランド／グルーブ判定部８２１の機能を実施する。例えば、ヘッダ判定シーケンサ８０３は、内部状態の遷移に応じて、グルーブ検出信号を生成してもよい。具体的には、ヘッダ判定シーケンサ８０８は、状態Ｓ１から状態Ｓ３に遷移する際には、記録セクタがランドトラック上にあるため、グルーブ検出信号を"０"レベルに切り替え、状態Ｓ２から状態Ｓ４に遷移する際には、記録セクタがグルーブトラック上にあるため、グルーブ検出信号を"１"レベルに切り替え、その他ではグルーブ検出信号が保持する値を維持するようにしてもよい。
図１１に示す物理ヘッダ検出シーケンサ８４の構成は、第２の実施形態に適用することも可能である。
【００９３】
さらに、第３の実施形態では、アンドゲート８４３が、通過帯域制御信号にマスクをかける処理を行う場合を説明したが、ヘッダ判定シーケンサ８０３内で、通過帯域制御信号にマスクをかける場合であってもよい。この場合、ヘッダ判定シーケンサ８０３は、物理ヘッダ同期保護部８３３から同期フラグを受け、生成した通過帯域制御信号と同期フラグとの論理和の信号を通過帯域制御信号として出力する。
【００９４】
上記各実施形態では、光ディスク装置及び物理ヘッダ検出シーケンサの構成例を参照して、本発明に係るヘッダ領域判定方法を説明した。一般に、光ディスク装置は、光ピックアップを制御する半導体集積回路を搭載して構成される。例えば、図１に示す光ディスク装置１００は、図１２に示すヘッダ領域判定回路２０の構成を少なくとも備える半導体集積回路を搭載することによって、上記各実施形態で説明したヘッダ領域を判定する方法を実現することができる。なお、半導体集積回路には、一般に、図１に示す他の構成を備えることが想定される。
図１２に示す通り、ヘッダ領域判定回路２０では、差信号検出部４が２分割された受光部を含む受光素子によって生成される光ディスクからの受光量に応じた信号を受け、物理ヘッダ検出シーケンサ８が少なくともグルーブ検出信号を出力する。加えて、物理ヘッダ検出シーケンサ８は、通過帯域制御信号を生成して高域通過フィルタ６を制御する。
なお、図１２では、図２に示す物理ヘッダ検出シーケンサ８を適用する場合を示しているが、これに限られることはない。例えば、図６、図９、または図１１に示す物理ヘッダ検出シーケンサ８２〜８４のいずれかを適用することも可能である。
【００９５】
以上説明したように、各実施形態の構成によれば、欠陥などによって差信号に乱れが生じた場合でも、高域通過フィルタで低周波成分を遮断することで、オフセットの変動が取り除かれ、波形整形回路で２値化する際のマージンに影響が及びにくくなるという効果が得られる。例えば、欠陥による影響で差信号にオフセットが現れた場合でも、高域通過フィルタの出力では遮断周波数によって決まる時定数でオフセットが減少し、短時間で適正なパルス化が行なえるオフセットに回復する。また、シーク動作によって差信号中に低周波の変動成分が現れた場合でも、高域通過フィルタには、波形整形回路に入力する信号にオフセット変動が現れるのを抑える効果もある。
【００９６】
一方、単に高域通過フィルタを設けて低周波成分を遮断した場合、物理ヘッダ領域そのものによって現れる差信号中のオフセットも、ヘッダ領域の第１の部分や第２の部分の後半で減少してしまい、安定にヘッダ領域判定を行なうことが難しくなる。
このため、上記各実施形態の構成では、物理ヘッダ検出シーケンサによって検出されたヘッダ領域の少なくとも一部で、通過帯域制御信号を切り替え、高域通過フィルタの遮断周波数を引き下げる機能を備える。ヘッダ領域の先頭で一定期間以上のパルス列を検出して以降、第１の部分に相当する期間だけ遮断周波数を引き下げることで、遮断周波数を引き下げた期間では、差信号ＨＰＦ出力のオフセット量低下が遅くなる。差信号に矩形波状のオフセット変化が現れると、差信号ＨＰＦ出力のオフセットも矩形波状の波形を保って変化する。
【００９７】
同様に、物理ヘッダ領域の第２の部分の先頭でパルス列を検出してから、第２の部分に相当する期間、遮断周波数を引き下げることで、第２の部分でも差信号中の矩形波状のオフセット変化が差信号ＨＰＦ出力中に反映されるようになる。これによって、差信号ＨＰＦ出力がヘッダ領域の第１の部分および、第２部分のそれぞれで、あらかじめ設けた基準値を超える状態が保たれ、物理ヘッダ領域を安定して検出できるようになり、欠陥やシーク動作によって現れるオフセット変動の影響防止と、検出の安定性とが両立できる。
このような有利な効果によって、欠陥や記録マークの明暗によって差信号中に乱れが生じても、物理ヘッダ領域の判定誤りを起こしにくいヘッダ領域判定方法、ヘッダ領域判定回路、および、これを備えた光ディスク装置を提供することができる。
【００９８】
なお、本発明が上記各実施形態に限定されず、本発明の技術思想の範囲内において、各実施例は適宜変更され得ることは明らかである。
【符号の説明】
【００９９】
１  光ディスク
２  ピックアップ
３  和信号検出部
４  差信号検出部
５  再生信号処理部
６  高域通過フィルタ
７  波形整形部
８、８２、８３、８４  物理ヘッダ検出シーケンサ
９  情報再生部
１０  アドレス再生部
１１  システム制御部
１２、９２  極性制御部
１３  極性選択部
１４  トラッキング制御部
２０  ヘッダ領域判定回路
９１  差信号処理部
７０１、７０２  コンパレータ
８０１、８０２  パルス列持続時間カウンタ
８０３  ヘッダ判定シーケンサ
８０４  ヘッダ長保護カウンタ
８０５  誤検出保護カウンタ
８０６、８０７  パルス終了カウンタ
８１１〜８１３  ヘッダ判定部
８２１、８２３  ランド／グルーブ判定部
８３３  物理ヘッダ同期保護部
８４３  アンドゲート
【図１】
2013093085.tif 000003
【図２】
2013093085.tif 000004
【図３】
2013093085.tif 000005
【図４】
2013093085.tif 000006
【図５】
2013093085.tif 000007
【図６】
2013093085.tif 000008
【図７】
2013093085.tif 000009
【図８】
2013093085.tif 000010
【図９】
2013093085.tif 000011
【図１０】
2013093085.tif 000012
【図１１】
2013093085.tif 000013
【図１２】
2013093085.tif 000014
【図１３】
2013093085.tif 000015
【図１４】
2013093085.tif 000016